(57)【特許請求の範囲】
【請求項１】
枠体に設けた吸込口と吹出口の間に蒸発器、凝縮器、送風ファン、ヒーターを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する除湿機に於いて、前記圧縮機や送風ファン等の制御を行う制御部と、電源を供給する電源コードと、この電源コードを所定の長さに引き出すためのコードリールを備え、このコードリールはカバーと蓋体の間に回転軸を中心に回動自在にリールプレートを設け、このリールプレートの中心部に一対のスプリング端子を備え、前記中心部の外周に備えた電源コード収納部に電源コードを巻回して収納し、この電源コードの先端を前記スプリング端子に接続し、電源コードの他端には前記カバーより突出した電源プラグを形成し、前記蓋体の中心に端子固定板を設け、端子固定板の内面には一対の固定端子を備え、この固定端子の一部を端子固定板を貫通して外表面に突出して一対の電源端子を形成し、前記固定端子とスプリング端子が常に接触することで、リールプレートが回転状態での電源プラグと電源端子との間の導通を維持するものであり、前記端子固定板の略中央に温度センサ取付部を設け、この温度センサ取付部に温度センサを取り付け、前記制御部には温度センサが第１所定値以上を検出した時には前記ヒーターを停止し、温度センサーが第１所定値よりも高い第２所定値以上を検出した時には前記圧縮機を停止し、温度センサーが第２所定値よりも高い第３所定値以上を検出した時には、全ての運転を停止する過熱制御部を設けたことを特徴とする除湿機。
【請求項２】
前記温度センサ取付部は一対の電源端子接続部の中間に位置させたことを特徴とする請求項１記載の除湿機。
【発明の詳細な説明】
【技術分野】
【０００１】
この発明は、巻き取られた電源コードを所定の長さだけ引き出して、使用するコードリールを備えた除湿機に関する。
【背景技術】
【０００２】
従来より除湿機や他の電気製品にコードリールを装着し、電源コードの長さを所定範囲で調整可能にすることで、長すぎる電源コードが乱雑に他の電気製品の電源コードに絡まったり、人が足に引っかけたりして、除湿機や他の電気製品の故障を防止すると共に、見た目が乱雑になることを防止していた。（例えば、特許文献１参照）
【先行技術文献】
【特許文献】
【０００３】
【特許文献１】特開平８−２００７３４号公報
【発明の概要】
【発明が解決しようとする課題】
【０００４】
コードリールから電源コードの引き出し寸法が短い場合には、コードリール内に巻かれている電源コードは熱の発散が出来ないために温度が上昇する傾向にあり、特に圧縮機や電子部品等の発熱の高い部品の近くにコードリールが組み込まれている場合には電源コードが高温に成ることによる劣化や絶縁性能が低下する。また、コードリールの可動接点は長い間使用するうちに電源コードの表面に付着したゴミが、コードリールの内部まで入り込み可動接点に付着すれば接触不良が発生し、接触不良により可動接点が過熱され火災の原因にもなり得る危険があるものであった。
【課題を解決するための手段】
【０００５】
この発明はこの点に着目し上記欠点を解決する為、特にその構成を、枠体に設けた吸込口と吹出口の間に蒸発器、凝縮器、送風ファン、ヒーターを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する除湿機に於いて、前記圧縮機や送風ファン等の制御を行う制御部と、電源を供給する電源コードと、この電源コードを所定の長さに引き出すためのコードリールを備え、このコードリールはカバーと蓋体の間に回転軸を中心に回動自在にリールプレートを設け、このリールプレートの中心部に一対のスプリング端子を備え、前記中心部の外周に備えた電源コード収納部に電源コードを巻回して収納し、この電源コードの先端を前記スプリング端子に接続し、電源コードの他端には前記カバーより突出した電源プラグを形成し、前記蓋体の中心に端子固定板を設け、端子固定板の内面には一対の固定端子を備え、この固定端子の一部を端子固定板を貫通して外表面に突出して一対の電源端子を形成し、前記固定端子とスプリング端子が常に接触することで、リールプレートが回転状態での電源プラグと電源端子との間の導通を維持するものであり、前記端子固定板の略中央に温度センサ取付部を設け、この温度センサ取付部に温度センサを取り付け、前記制御部には温度センサが第１所定値以上を検出した時には前記ヒーターを停止し、温度センサーが第１所定値よりも高い第２所定値以上を検出した時には前記圧縮機を停止し、温度センサーが第２所定値よりも高い第３所定値以上を検出した時には、全ての運転を停止する過熱制御部を設けたものである。
【発明の効果】
【０００６】
この発明によれば、コードリールの可動接点に付着したゴミが原因で接触不良が発生し、可動接点が異常に過熱することを防止し、接点の過熱による火災の発生を防止する。
【図面の簡単な説明】
【０００７】
【図１】この発明一実施例の背面側の斜視図。
【図２】同側面の断面図。
【図３】同コードリールの側面図。
【図４】同要部断面図。
【図５】同電気回路の説明図。
【図６】同要部のフローチャート図。
【発明を実施するための形態】
【０００８】
次にこの発明に係るコードリールの安全装置を装着した除湿機を図面に示された一実施例で説明する。
１は除湿機の枠体で底板２上に前方の前ケース３と後方の後ケース４と上面を覆う天板５を設けて本体の外郭を構成している。
６は前記枠体１背面に形成された吸込口で、前記後ケース４に横長のスリットを多数備えた開口が設けられている。
【０００９】
前記吸込口６の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記蒸発器８の更に下流には蒸発器８と同じくフィンチューブ式の熱交換器からなる凝縮器９を備え、蒸発器８にて冷却された空気の加熱を行う。
前記凝縮器９下流にはシロッコファン型の送風ファン１０及びこのファン１０を駆動するファンモータ１１を設けている。
【００１１】
前記送風ファン１０の風下側の真上にはシーズヒータから成るヒーター１２を設け、このヒーター１２は衣類乾燥時や冬期間に室温が低くなり除湿の効率が低下する事を防止するものであり、消費電力は約４００〜５００Ｗ程である。
【００１２】
前記前ケース３の内側でファンモータ１１との間には送風ファン１０を包囲して前記吹出口１３側へ送風を導くファンケーシング１４を備え、このファンケーシング１４の中央からやや右側上部にはスタビライザ（図示せず）を設け、上方向の前記ヒーター１２及び吹出口１３へ向かって送風するものである。
【００１３】
前記天板５は略平面の上面部１５と、この上面部１５の略中央から背面上部にわたって前記吹出口１３を形成し、この吹出口１３内で前記上面部１５の略中央部分に水平ルーバー１６を設けている、この水平ルーバー１６は回転軸１７を中心に回動自在であり、回動によって真上方から真後ろ側（背面側）水平方向の間（約９０度）の風向を変化し、除湿機の運転停止時には自動で、後ろ側水平方向吹出位置にて上面部１５に収納される。
【００１４】
前記送風ファン１０からの送風は前面側から上面中央の水平ルーバー１６に向けて送風され、水平ルーバー１６が開いた状態では、乾燥空気を真上方向に送風することで除湿機の上方に位置する洗濯物の乾燥が効率よく行われる。また、水平ルーバー１６が閉じた状態（上面部に収納された状態）では、乾燥空気を真後ろの背面側に送風することで室内全体の除湿や押し入れ等の部分的な除湿運転に適するものである。
【００１５】
前記吸込口６と蒸発器８、凝縮器９、送風ファン１０、ヒーター１２、吹出口１３を連通して送風経路１８を形成している。
【００１６】
１９は取手で、転倒時には天板５の吹出口１３左右に形成された溝２０によって、中央から後ろ側にかけて収納され、起立時には天板５の略中央の溝２０に設けられた取手用軸（図示せず）を中心として回動して上面中央上方に位置するものであり、回動自在でコの字型に形成され、使用時には回動して吹出口７上方に位置し除湿機運搬に使用する。
【００１７】
２１は前記天板５の前側端部に設けられた操作部で、運転スイッチやタイマースイッチ等のスイッチ類（図示せず）や運転ランプ等の表示部（図示せず）を備え、この操作部２１の裏面であり、下方にはスイッチやランプが固定され、回路構成を備えた操作部基盤２２が設けられ、この操作部基盤２２の下方には除湿機の運転制御を行う制御部２３を備えている。
【００１８】
前記蒸発器８の下方には結露水を受けるドレン皿２４を設けている。２５は一方をこのドレン皿２４の底面に接続し、他方を排水タンク２６の上部に位置させた排水路で、前記ドレン皿２４で集めた結露水を前記排水タンク２６へ導くものである。
【００１９】
２７は前記後ケース４下部の内面で、後ケース４と排水タンク２６の間に取り付けられたコードリールで、商用電源のコンセントに差し込んで除湿機に電源の供給を行うものである。前記コードリール２７は略皿状で樹脂製のカバー２８と板金製の蓋体２９の間に前記カバー２８と一体に形成された回転軸３０を中心に回動自在に樹脂製のリールプレート３１を設け、このリールプレート３１の中心部３２に前記蓋体２９側に付勢する一対のスプリング端子３３が溶着されている、前記中心部３２の外周に備えた電源コード収納部３４に電源コード３５を巻回して収納し、この電源コード３５の先端を前記スプリング端子３３にハンダ付け等によって接続し、電源コード３５の他端には前記カバー２８より突出した電源プラグ３６を形成し、前記蓋体２９の中心には樹脂製の端子固定板３７を設け、この端子固定板３７の内面には一対の固定端子３８を備え、この固定端子３８の一部を端子固定板３７を貫通して外表面に突出して一対の電源端子３９を形成し、前記固定端子３８とスプリング端子３３が常に接触することで、リールプレート３１が回転状態でも電源プラグ３６と電源端子３９との間の導通を維持するものである。また、電源端子３９に接続されたリード線（図示せず）によって圧縮機４０や前記ファンモータ１１、制御部２３等へ交流１００Ｖの電源が供給される。
【００２０】
前記端子固定板３７の略中央には突出した温度センサ取付部４１を設け、この温度センサ取付部４１に板金製のセンサ取付金具４２でカシメ止めされたサーミスタセンサ等の温度センサ４３がネジ止めされている。また前記カバー２８とリールプレート３１の間には板バネ４４を備え、電源コード３５巻き取り時の動力となる。
【００２１】
前記制御部２３には電源全体の開閉を行う電源リレー４５と、圧縮機４０の開閉を行う圧縮機リレー４６と、ファンモータ１１の開閉を行うファンリレー４７と、ヒーター１２の開閉を行うヒータリレー４８を設け、前記温度センサ４３が第１所定値Ａ（例えば６０℃）以上を検出した時にはヒータリレー４８を開いてヒーター１２を停止してコードリール２７の温度上昇を抑えるものであり、温度センサ４３の温度が更に上昇して第２所定値Ｂ（例えば６５℃）以上を検出した時には圧縮機リレー４６を開いて圧縮機４０も停止しコードリール２７の温度上昇を更に抑えるものであり、温度センサ４３の温度が更に上昇して第３所定値Ｃ（例えば８０℃）以上を検出した時には電源リレー４５を開いてファンモータ１１をも含めた全体の電源を遮断することで、接点に付着するゴミ等が原因で接点が過熱して発火することを防止する機能を有するものである。また、前記電源プラグ３６は収納時、後ケース４の側面に設けたコード穴４９から突出して位置し、このコード穴４９から引き出して商用電源（交流１００Ｖ）のコンセントに接続して使用する。
【００２２】
前記圧縮機４０は、凝縮器９と膨張弁（図示せず）、蒸発器８等を順次冷媒配管で接続して冷凍回路を形成し、圧縮機４０の運転により凝縮器９は高温に、蒸発器８は低温になり、前記吸込口６から吸い込んだ空気を冷たい蒸発器８で結露して水分を取り除いた後、熱い凝縮器９で加熱して室内に戻すことで、吸込空気の除湿を行うものである。
【００２３】
除湿機の運転手順について説明すれば、まず除湿が必要な場所や部屋等に除湿機を持ってくる。次に除湿機の側面から電源プラグ３６を必要な長さだけ引き出して室内の壁面等に備えたコンセントに接続する。操作部２１の運転スイッチ等の操作により運転が開始され、室内空気の除湿が行われる。運転を停止すれば電源プラグ３６をコンセントから引き抜いて電源コード３５をコードリール２７に収納する。数年或いは１０年以上除湿機を使用して、電源コード３５の出し入れを繰り返すうちに、小さなゴミがコードリール２７内に侵入して接点である固定端子３８とスプリング端子３３の間に挟まり接点抵抗が上昇して過熱することがある、この時、接点の裏側で端子固定板３７の略中央で、接点不良の際に一番温度が上昇する場所に取り付けられた温度センサ４２が異常な温度を検知した場合には、制御部２３に異常の信号を送って検知された温度に応じて順次ヒータリレー４８や圧縮機リレー４６、電源リレー４５を開いて除湿機を運転制御する過熱制御部５０によって、コードリール２７の接点からの過熱による発火や火災の発生を防止する。
【００２４】
図６のフローチャート図によって過熱制御部５０の作動を説明すれば、除湿機の運転が開始されれば（Ｓ１）、圧縮機４０とファンモータ１１、ヒーター１２等が通電され運転を開始し、温度センサ４３（Ｔ℃）が読み込まれ（Ｓ２）、通常運転が継続される。尚、このフローチャート図においては、衣類乾燥運転や冬の室温が低いときで乾燥能力を必要とするヒーター１２の運転が必要な運転コースの説明とする。
【００２５】
通常の運転では過熱制御部５０が作動することは無いので、運転停止の操作やタイマー運転時の終了によって、Ｓ３からＳ１２へ進んで運転を停止する。Ｓ４〜Ｓ６は過熱制御作動後の復帰に対する作動なの説明は後述する。
【００２６】
Ｓ７にて温度センサ４３が第１所定値Ａ（例えば６０℃）以上を検出した時にはヒータリレー４８を開いて最も熱負荷の大きなヒーター１２を停止し（Ｓ８）、Ｓ９に進む。Ｓ９で温度センサ４３の温度が第２所定値Ｂ（例えば６５℃）以下であれば、Ｓ３に戻り、再度温度センサ４３を読込み（Ｓ４）、Ｓ５で温度センサ４３が第４の所定値（４０℃）以下に下降するまでヒーター１２は停止して運転を継続するが、更に温度センサ４３の温度が第２所定値Ｂ（例えば６５℃）よりも上昇すれば、圧縮機４０も停止して送風ファン１０のみが運転を継続する（Ｓ１０）。そしてＳ１１において温度センサ４３の温度が更に上昇して第３所定値Ｃ（例えば８０℃）以上を検出した時には電源リレー４５を開いてファンモータ１１をも含めた全体の電源を遮断することで、接点に付着するゴミ等が原因で接点が過熱して発火することを防止する。Ｓ９及びＳ１１にてＮｏの場合には、Ｓ３に戻って送風ファン１０のみの運転を温度センサ４３が第４の所定値（４０℃）以下に下降するまで継続する。
【００２７】
このように、除湿機に装着したコードリールの可動接点に付着したゴミが原因で接触不良が発生し、可動接点が異常に過熱することを段階的に防止し、接点の過熱による火災の発生を防止する。
【符号の説明】
【００２８】
２３  制御部
２７  コードリール
２８  カバー
２９  蓋体
３１  リールプレート
３３  スプリング端子
３４  電源コード収納部
３５  電源コード
３６  電源プラグ
３７  端子固定板
３８  固定端子
３９  電源端子
４３  温度センサ
４５  電源リレー
４６  圧縮機リレー
４８  ヒータリレー
【図１】
0006371719.tif 000002
【図２】
0006371719.tif 000003
【図３】
0006371719.tif 000004
【図４】
0006371719.tif 000005
【図５】
0006371719.tif 000006
【図６】
0006371719.tif 000007